(57)【要約】【課題】  内視鏡システムにおいて表示装置の色調整に関する使用者の負担を軽減する。【解決手段】  プロセッサ１０とフラットパネルディスプレイ２０を一体的に設ける。ディスプレイ２０をヒンジによりプロセッサ１０に対し回動可能に支持する。プロセッサ１０のフロントパネル１１にパネルスイッチ群１３及び１４を設ける。パネルスイッチ群１４を操作することにより、プロセッサ１０に接続される出力機器及びディスプレイ２０において再現される色を調整する。パネルスイッチ群１３を操作することにより、ディスプレイ２０独自で再現される色を調整する。【選択図】        図３
2005080752.tif 000002
【特許請求の範囲】
【請求項１】
電子スコープにより取得された被観察体の画像信号に所定の処理を施す画像信号処理ユニットと、
前記画像信号処理ユニットにより所定の処理を施された画像信号に基づいて被観察体の映像を再現するモニタとを備え、
前記画像信号処理ユニットと前記モニタが一体的に設けられ、
前記画像信号処理ユニットは、前記所定の処理を施した画像信号に対し前記モニタ以外の画像出力手段に適合するよう色成分及び輝度を調整する第１の画像調整手段と、前記画像信号に対し前記モニタの特性に適合するよう色成分及び輝度を調整する第２の画像調整手段とを有することを特徴とする内視鏡システム。
【請求項２】
前記第１の画像調整手段を制御するための第１の画像調整情報入力手段と、前記第２の画像調整手段を制御するための第２の画像調整情報入力手段が、共に前記画像信号処理ユニットに設けられることを特徴とする請求項１に記載の内視鏡システム。
【請求項３】
前記第２の画像調整手段は、前記第１の画像調整手段により調整された画像信号に対しさらに色成分及び輝度を調整することを特徴とする請求項１に記載の内視鏡システム。
【発明の詳細な説明】
【技術分野】
【０００１】
本発明は内視鏡システムに関する。
【背景技術】
【０００２】
従来、内視鏡システムは、患者の体内に挿入されるスコープ（電子スコープ）と、スコープが接続されるプロセッサと、プロセッサに外付けで接続される出力機器で構成される。スコープにより取得された被観察体の画像情報は、プロセッサで所定の画像処理が施され、モニタ（表示装置）やプリンタ等の出力機器に出力される。出力機器に出力される画像情報の色成分や輝度は、プロセッサに設けられた操作パネルにより調整することができる（例えば特許文献１）。
【特許文献１】特開２００１−１２０４９２号公報
【発明の開示】
【発明が解決しようとする課題】
【０００３】
ところが、モニタはプロセッサの外付けの周辺機器であり、モニタにはそれぞれ個体差がある。従って、出荷時の調整やユーザ納入後の調整において、プロセッサ単体で色成分や輝度の調整を行っても、プロセッサとモニタを組み合わせた状態で各モニタ毎に再現される色の調整をその都度行わなければならず、使用者にとって大きな負担となっていた。
【０００４】
本発明は内視鏡システムにおける画像調整の利便性を向上することを目的としている。
【課題を解決するための手段】
【０００５】
本発明に係る内視鏡システムは、電子スコープにより取得された被観察体の画像信号に所定の処理を施す画像信号処理ユニットと、画像信号処理ユニットにより所定の処理を施された画像信号に基づいて被観察体の映像を再現するモニタとを備え、画像信号処理ユニットとモニタが一体的に設けられ、画像信号処理ユニットは、所定の処理を施した画像信号に対しモニタ以外の画像出力手段に適合するよう色成分及び輝度を調整する第１の画像調整手段と、画像信号に対しモニタの特性に適合するよう色成分及び輝度を調整する第２の画像調整手段とを有することを特徴とする。
【０００６】
好ましくは、第１の画像調整手段を制御するための第１の画像調整情報入力手段と、第２の画像調整手段を制御するための第２の画像調整情報入力手段が、共に画像信号処理ユニットに設けられる。
【０００７】
好ましくは、第２の画像調整手段は、第１の画像調整手段により調整された画像信号に対しさらに色成分及び輝度を調整する。
【発明の効果】
【０００８】
本発明によれば、画像信号処理ユニットとモニタが一体的に設けられ、モニタに適合する画像調整が画像信号処理ユニットで行われる。従って、画像信号処理ユニットに接続されるモニタの個体差に合わせた画像調整を行う必要がないため、使用者の負担が軽減される。また、出荷時にモニタに合わせた画像調整を設定しておけば、使用者の負担をより軽減させることができる。
【０００９】
第１及び第２の画像調整情報入力手段を共に画像信号処理ユニットに設けることにより、操作性が向上する。
【発明を実施するための最良の形態】
【００１０】
以下、本発明の実施の形態を図面を参照して説明する。
図１は、本発明に係る実施形態が適用される内視鏡システムのプロセッサ(画像信号処理ユニット)１０とフラットパネルディスプレイ（モニタ）２０を示す側面図である。プロセッサ１０とフラットパネルディスプレイ２０は一体的に構成される。フラットパネルディスプレイ２０は例えばＬＣＤ（液晶ディスプレイ）である。フラットパネルディスプレイ２０はヒンジ３０を介して回動可能にプロセッサ１０に支持される。従って、内視鏡システムを使用しないときは、図２に示すように、フラットパネルディスプレイ２０を折りたたんだ状態にしておけば嵩張ることがない。プロセッサ１０には図示しない電子スコープ等のスコープが接続される。スコープにより取得された画像情報は、プロセッサ１０で後述する所定の処理が施され、フラットパネルディスプレイ２０の表示画面に再生される。
【００１１】
図３は、図１のプロセッサ１０とフラットパネルディスプレイ２０を正面から示す図である。プロセッサ１０の筐体のフロントパネル１１の左端部にはコネクタ１２が設けられる。コネクタ１２にはスコープ（図示せず）が接続される。フロント１１の中央にはフラットパネルディスプレイ２０用のパネルスイッチ群１３と、その他の出力機器用のパネルスイッチ群１４が並べて設けられている。パネルスイッチ群１３及び１４は、それぞれ、映像の輝度を増減調節するための一対のコントロールキー１３１、１４１と、カラーバランスを調整するための赤色成分を増減調整する一対のコントロールキー１３２、１４２、青色成分を増減調整する一対のコントロールキー１３３、１４３を有する。
【００１２】
図４は、プロセッサ１０のブロック図である。電子スコープに設けられたＣＣＤから送られてくる画像信号は、初段信号処理回路２００に入力される。初段信号処理回路２００は、プリアンプ、ビデオフィルタ、サンプルホールド回路、ガンマ回路を有し、それぞれの回路で画像信号に対し所定の処理が行われる。また、初段信号処理回路２００はＡ／Ｄ変換器を有しており、上述の各回路で処理を施された画像信号はこのＡ／Ｄ変換器によりデジタル化される。
【００１３】
デジタル化された画像信号は画像メモリ２０１に格納される。画像メモリ２０１に格納された画像信号は、メモリコントローラ（図示せず）の制御に基づいて後段信号処理回路２０２に出力される。
【００１４】
後段信号処理回路２０２では後述する画像処理が行われる。また、フラットパネルディスプレイ２０のフロントパネル１１のパネルスイッチ群１３、１４（図３参照）からの入力信号はシステムコントローラ２０３に入力される。システムコントローラ２０３は、パネルスイッチ群１３、１４からの入力信号に基づいて、画像処理を調整するための制御信号を後段信号処理回路２０２に出力する。
【００１５】
図５は、後段信号処理回路２０２を中心に示すブロック図である。画像メモリ２０１から読み出された画像信号はメイン処理回路２１０に入力される。メイン処理回路２１０では、画像信号に対し、信号増幅処理、ホワイトバランス、ガンマ補正、輪郭強調等の所定の処理が行われる。また、メイン処理回路２１０では、フロントパネル１１のパネルスイッチ群１４の入力信号に基づいてシステムコントローラ２０３から出力されるカラーコントロール信号により、画像信号に色成分及び輝度の微調整が行われる。メイン処理回路２１０から出力される画像信号はキャラクタ挿入回路２１１へ入力される。キャラクタ挿入回路２１１では、システムコントローラ２０３から出力され、後述するキャラクタ挿入回路２１７を介して入力されるキャラクターコントロール信号に基づき、画像信号にプロセッサ１０に接続されたキーボード等の入力装置（不図示）により入力される患者情報等のキャラクタがスーパーインポーズされる。キャラクタ挿入回路２１１から出力された画像信号は、Ｄ／Ａ変換器２１２でアナログ信号に変換され、ケーブルドライバ２１３及びエンコーダ２１４を介して出力端子群２１５に接続された周辺機器へ出力される。
【００１６】
メイン処理回路２１０から出力される画像信号は、フラットパネルディスプレイドライバ２１６にも入力される。ドライバ２１６では、フロントパネル１１のパネルスイッチ群１３の入力信号に基づいてシステムコントローラ２０３から出力されるカラーコントロール信号により、メイン処理回路２１０からの画像信号画像信号に、さらに色成分及び輝度の微調整が行われる。
【００１７】
ドライバ２１６で色成分、輝度の微調整が施された画像信号はキャラクタ挿入回路２１７に入力される。キャラクタ挿入回路２１７では、システムコントローラ２０３から出力されるキャラクターコントロール信号に基づいて、画像信号に患者情報等のキャラクタがスーパーインポーズされる。キャラクタ挿入回路２１７で処理を施された画像信号はフラットパネルディスプレイ２０に出力される。
【００１８】
本実施形態によれば、パネルスイッチ群１４のみを操作すれば、出力端子群２１５に接続される出力機器への画像信号と、フラットパネルディスプレイ２０に表示される映像に同一の色補正を加えることができる。また、パネルスイッチ群１３を操作すれば、フラットパネルディスプレイ２０独自の色再現を施すことができる。
【００１９】
また、後段信号処理回路２０２において、色成分、輝度の微調整をキャラクタ挿入回路２１１、２１７における処理の前段階で行っている。従って、パネルスイッチ群１３、１４の操作によりキャラクタの文字色が変更されてしまうことが防止される。
【００２０】
図６は、フロントパネル１１の変形例を示す図である。コネクタ１２の近傍に設けられるパネルスイッチ群１５には、上述のパネルスイッチ群１３、１４と同様、輝度増減調整のための一対のコントロールキー１５１、色調整における赤色成分の増減調整のための一対のコントロールキー１５２、青色成分の増減調整のための一対のコントロールキー１５３が設けられる。また、パネルスイッチ群１５には切換ボタン１５４が設けられる。切換ボタン１５４を適宜押すことにより、２つのモードをサイクリックに切り換えることができる。一方のモードは、コントロールキー１５１、１５２、１５３による画像調整の操作をフラットパネルディスプレイ２０にのみ反映させるモードであり、他方のモードは、同画像調整の操作をフラットパネルディスプレイ２０及び出力端子２１５（図５参照）に接続される周辺機器の双方に反映させるモードである。なお、切換ボタン１５４の操作により現在選択されているモードを示すために、インジケータ１５５Ａ、１５５Ｂが切換ボタン１５４の近傍に設けられている。
【００２１】
このように一つのパネルスイッチ群の作用を切換ボタン１５４で切り換える構成とすれば、フロントパネル１１をよりコンパクト化することができる。
【００２２】
以上のように本発明によれば、内視鏡システムにおいてプロセッサとモニタが一体化されており、モニタが付け替えられる度にモニタの個体差に合わせた画像調整を行う必要がなく、使用者の負担が軽減される。
【図面の簡単な説明】
【００２３】
【図１】本発明に係る実施形態が適用される内視鏡システムのプロセッサとフラットパネルディスプレイを示す側面図である。
【図２】フラットパネルディスプレイを折りたたんだ状態を示す側面図である。
【図３】プロセッサとフラットパネルディスプレイを正面から示す図である。
【図４】プロセッサのブロック図である。
【図５】プロセッサの後段信号処理回路を中心に示すブロック図である。
【図６】プロセッサのフロントパネルの変形例を示す図である。
【符号の説明】
【００２４】
１０  プロセッサ
１１  フロントパネル
１２  コネクタ
２０  フラットパネルディスプレイ
３０  ヒンジ
１３、１４、１５  パネルスイッチ群
【図１】
2005080752.tif 000003
【図２】
2005080752.tif 000004
【図３】
2005080752.tif 000005
【図４】
2005080752.tif 000006
【図５】
2005080752.tif 000007
【図６】
2005080752.tif 000008